(57)【要約】【課題】液晶パネルを文字盤として使用し、実体の指針によって測定値等を表示する構成であっても、使い勝手や外観品質を確保しながら、それを低コストで実施することができる表示装置を提供する。【解決手段】液晶パネル３の表面側にハウジング７を設け、ハウジング７に実体の指針４の基端部を回動自在に保持させ、指針４の回動中心に従動側磁石６を設ける。液晶パネル３の背面側に配置したステッピングモータ１２の駆動軸１３に駆動側磁石１４を設ける。双方の磁石６，１３間における磁気吸引力によって指針４と駆動軸１３との非接触での連結状態を確保し、測定値に応じてステッピングモータ１２を駆動することにより指針４を振らせ、測定値を表示する。液晶パネル３の表面、つまり画面内を横断する配線が不用であり、また液晶パネル３に穴を空ける必要がない。【選択図】図１
2010243415.tif 000002
【特許請求の範囲】
【請求項１】
目盛を画像として表示する液晶パネルと、
この液晶パネルの背面側に配置された可動子と、
この可動子を駆動する駆動手段と、
この駆動手段に前記可動子を所定の変量に応じて駆動させる制御手段と、
前記液晶パネルの前記目盛が表示される表示面側に配置され、前記液晶パネルを隔て磁気吸引力によって前記可動子との連結状態を確保されるとともに、前記可動子に追従して変位することにより前記変量に対応する指示値を表示する指針と
を備えたことを特徴とする表示装置。
【請求項２】
前記液晶パネルの背面に面光源であるバックライトが設けられ、前記可動子と前記指針とが前記液晶パネル及び前記バックライトを隔て磁気吸引力によって連結状態を確保されることを特徴とする請求項１記載の表示装置。
【請求項３】
前記液晶パネルの背面に、面光源であるバックライトが設けられ、このバックライトに、前記可動子を収容する開口部が設けられたことを特徴とする請求項１記載の表示装置。
【請求項４】
前記指針は、磁気吸引力によって前記可動子との連結状態を確保される連結可動子を含み、
この連結可動子と前記可動子とのうちの少なくともいずれか一方が磁石であり、いずれか他方が磁性体であることを特徴とする請求項１又は２，３記載の表示装置。
【請求項５】
前記連結可動子と前記可動子とのうちの少なくともいずれか一方が永久磁石であることを特徴とする請求項１又は２，３記載の表示装置。
【請求項６】
前記連結可動子と前記可動子との双方が永久磁石であることを特徴とする請求項５記載の表示装置。
【請求項７】
前記液晶パネルと前記指針との間に、双方間に働く摩擦力を低減する摩擦低減手段を設けたことを特徴とする請求項１乃至６いずれか記載の表示装置。
【請求項８】
前記摩擦低減手段は、前記液晶パネルと前記指針との間に介装された摩擦低減部材であることを特徴とする請求項７記載の表示装置。
【請求項９】
前記液晶パネルの背面側に配置された一次側電磁誘導コイル、及び前記液晶パネルの表面側に配置された二次側電磁誘導コイルからなり、電磁誘導を利用して前記液晶パネルの背面側から表面側に電力を無接点伝送する電力伝送手段と、
前記液晶パネルの表面側に配置されるとともに、前記電力伝送手段により伝送された電力によって発光し前記指針を照明する発光素子と
を備えたことを特徴とする請求項１乃至８いずれか記載の表示装置。
【請求項１０】
前記目盛を、前記液晶パネルの表示面であって前記可動子に追従して変位する指針の変位領域に対応する所定の表示領域に表示させる表示処理手段を備えたことを特徴とする請求項１乃至９いずれか記載の表示装置。
【請求項１１】
前記目盛の表示形態を、所定の条件に応じて制御する表示制御手段を備えたことを特徴とする請求項１乃至１０いずれか記載の表示装置。
【請求項１２】
前記所定の条件は、前記可動子に追従して変位する指針の位置であることを特徴とする請求項１１記載の表示装置。
【請求項１３】
前記所定の条件は、前記変量に対応する指示値であることを特徴とする請求項１１記載の表示装置。
【請求項１４】
目盛を画像として表示する液晶パネルと、
この液晶パネルの背面側に配置された可動子と、
この可動子を駆動する駆動手段と、
この駆動手段に前記可動子を所定の入力信号に応じて駆動させる制御手段と、
前記液晶パネルの前記目盛が表示される表示面側に配置され、前記液晶パネルを隔て磁気吸引力によって前記可動子との連結状態を確保されるとともに、前記可動子に追従して変位することにより前記変量に対応する指示値を表示する指針と
を備えたことを特徴とする表示装置。
【発明の詳細な説明】
【技術分野】
【０００１】
本発明は、液晶パネルを文字盤として使用し、実体の指針により測定値等を表示する表示装置に関するものである。
【背景技術】
【０００２】
従来、自動車の運転席には、走行速度、走行距離、任意区間距離、燃料残量、冷却水温度等の種々の車両情報を表示するためのインストルメントパネルが設けられている。インストルメントパネルにおける上記車両情報の表示には一般に指針式メータやＬＥＤ等が用いられている。これと関連し、インストルメントパネルに液晶ディスプレイを設けて車両情報以外の情報を表示する構成が下記特許文献１等に記載されている。
【０００３】
また、インストルメントパネルに液晶ディスプレイを設ける場合には、表示画面に指針式メータを模した目盛及び指針を表示させ、その指針を表示すべき種々の変量（走行速度等）の変化に応じて変化させれば、表示画面において指針式メータを擬似的に実現することができる。係る方法は、例えば携帯電話機において待ち受け画面等にアナログ時計を表示する場合に使用されており、周知である。
【先行技術文献】
【特許文献】
【０００４】
【特許文献１】特開２００７−４５１８４号公報
【発明の概要】
【発明が解決しようとする課題】
【０００５】
ところで、上記のように液晶ディスプレイの表示画面に指針式メータを表示させる場合には、指針が単なる画像に過ぎないことから、計器としての存在感や高級感が損なわれる。係る存在感や高級感の低下を回避するには、液晶ディスプレイに文字盤を構成する目盛等のみを表示させるものとし、表示画面を形成している液晶パネルの表面上に従来の指針式メータと同様の実体の指針を設け、これを種々の変量に対応して変位（回動や移動）させればよい。
【０００６】
しかしながら、その場合には以下の問題があった。すなわち液晶パネルの表面上に前記指針の駆動部を設ける場合には、駆動部に電源や信号を供給するための配線が液晶パネルの表面上に存在することとなり、目盛等の表示内容が制約（画像）を受けることとなり、かつ見栄えも悪くなる。一方、前記指針の駆動部を液晶パネルの裏面に設ける場合には、液晶パネルに穴を空け、その穴に前記指針を取り付ける駆動軸を挿通させる必要が生じ、その場合には液晶パネル等の構造、及びその製造工程が複雑になり大幅なコストアップになるという問題があった。
【０００７】
本発明は、かかる従来の課題に鑑みてなされたものであり、液晶パネルを文字盤として使用し、実体の指針によって測定値等を表示する構成であっても、使い勝手や外観品質を確保しながら、それを低コストで実施することができる表示装置を提供することを目的とする。
【課題を解決するための手段】
【０００８】
前記課題を解決するため、請求項１記載の発明に係る表示装置にあっては、目盛を画像として表示する液晶パネルと、この液晶パネルの背面側に配置された可動子と、この可動子を駆動する駆動手段と、この駆動手段に前記可動子を所定の変量に応じて駆動させる制御手段と、前記液晶パネルの前記目盛が表示される表示面側に配置され、前記液晶パネルを隔て磁気吸引力によって前記可動子との連結状態を確保されるとともに、前記可動子に追従して変位することにより前記変量に対応する指示値を表示する指針とを備えたことを特徴とする。
【０００９】
また、請求項２記載の発明に係る表示装置にあっては、前記液晶パネルの背面に面光源であるバックライトが設けられ、前記可動子と前記指針とが前記液晶パネル及び前記バックライトを隔て磁気吸引力によって連結状態を確保されることを特徴とする。
【００１０】
また、請求項３記載の発明に係る表示装置にあっては、前記液晶パネルの背面に、面光源であるバックライトが設けられ、このバックライトに、前記可動子を収容する開口部が設けられたことを特徴とする。
【００１１】
また、請求項４記載の発明に係る表示装置にあっては、前記指針は、磁気吸引力によって前記可動子との連結状態を確保される連結可動子を含み、この連結可動子と前記可動子とのうちの少なくともいずれか一方が磁石であり、いずれか他方が磁性体であることを特徴とする。
【００１２】
また、請求項５記載の発明に係る表示装置にあっては、前記連結可動子と前記可動子とのうちの少なくともいずれか一方が永久磁石であることを特徴とする。
【００１３】
また、請求項６記載の発明に係る表示装置にあっては、前記連結可動子と前記可動子との双方が永久磁石であることを特徴とする。
【００１４】
また、請求項７記載の発明に係る表示装置にあっては、前記液晶パネルと前記指針との間に、双方間に働く摩擦力を低減する摩擦低減手段を設けたことを特徴とする。
【００１５】
また、請求項８記載の発明に係る表示装置にあっては、前記摩擦低減手段は、前記液晶パネルと前記指針との間に介装された摩擦低減部材であることを特徴とする。
【００１６】
また、請求項９記載の発明に係る表示装置にあっては、前記液晶パネルの背面側に配置された一次側電磁誘導コイル、及び前記液晶パネルの表面側に配置された二次側電磁誘導コイルからなり、電磁誘導を利用して前記液晶パネルの背面側から表面側に電力を無接点伝送する電力伝送手段と、前記液晶パネルの表面側に配置されるとともに、前記電力伝送手段により伝送された電力によって発光し前記指針を照明する発光素子とを備えたことを特徴とする。
【００１７】
また、請求項１０の発明に係る表示装置にあっては、前記目盛を、前記液晶パネルの表示面であって前記可動子に追従して変位する指針の変位領域に対応する所定の表示領域に表示させる表示処理手段を備えたことを特徴とする。
【００１８】
また、請求項１１記載の発明に係る表示装置にあっては、前記目盛の表示形態を、所定の条件に応じて制御する表示制御手段を備えたことを特徴とする。
【００１９】
また、請求項１２記載の発明に係る表示装置にあっては、前記所定の条件は、前記可動子に追従して変位する指針の位置であることを特徴とする。
【００２０】
また、請求項１３記載の発明に係る表示装置にあっては、前記所定の条件は、前記変量に対応する指示値であることを特徴とする。
【００２１】
また、請求項１４記載の発明に係る表示装置にあっては、目盛を画像として表示する液晶パネルと、この液晶パネルの背面側に配置された可動子と、この可動子を駆動する駆動手段と、この駆動手段に前記可動子を所定の入力信号に応じて駆動させる制御手段と、前記液晶パネルの前記目盛が表示される表示面側に配置され、前記液晶パネルを隔て磁気吸引力によって前記可動子との連結状態を確保されるとともに、前記可動子に追従して変位することにより前記変量に対応する指示値を表示する指針とを備えたことを特徴とする。
【発明の効果】
【００２２】
本発明によれば、液晶パネルを文字盤として使用し、実体の指針によって測定値等を表示する構成であっても、使い勝手や外観品質を確保しながら、それを低コストで実施することが可能となる。
【図面の簡単な説明】
【００２３】
【図１】本発明に係る表示装置を示す図であり、（ａ）は正面図、（ｂ）は（ａ）のＡ−Ａ断面に相当する説明図である。
【図２】同表示装置の構成を示すブロック図である。
【図３】第２の実施形態の表示装置を示す図１（ｂ）に対応する説明図である。
【図４】第３の実施形態の表示装置を示す図１（ｂ）に対応する説明図である。
【図５】第４の実施形態の表示装置を示す図１（ｂ）に対応する説明図である。
【図６】（ａ）は、同表示装置における駆動側磁石及び従動側磁石と一次側電磁誘導コイル及び二次側電磁誘導コイルとの関係を示す断面図、（ｂ）は、一次側電磁誘導コイル及び二次側電磁誘導コイルの他の構造を示す断面図である。
【図７】同表示装置の構成を示すブロック図である。
【図８】第５の実施形態の表示装置を示す図２に対応する説明図である。
【図９】同表示装置における駆動側磁石及び従動側磁石と一次側電磁誘導コイル及び二次側電磁誘導コイルとの関係を示す断面図である。
【発明を実施するための形態】
【００２４】
（実施形態１）
以下、本発明の実施形態について説明する。図１（ａ）は、本発明の第１の実施形態を示す表示装置１の正面図である。この表示装置１は、例えば速度や温度、電圧、長さ、重さ、容積等の任意の測定値、さらにはそれ以外の逐次変化する任意の値（変量）を表示するものであり、筐体２に保持された液晶パネル３と、液晶パネル３の表示面すなわち表面側に配置された指針４とを有している。
【００２５】
液晶パネル３には、表示すべき測定値の種類に応じて予め用意されている画像情報である目盛１００が表示されており、これにより液晶パネル３が文字盤として機能する。指針４は、一般的な指針式メータと同様、測定値に応じて回動（変位）することにより所定の目盛位置を指示するものであり、回動中心となる一端側が液晶パネル３の表面に固着されたハウジング７内に収容されている。
【００２６】
図１（ｂ）は、同図（ａ）のＡ−Ａ線に沿って前記筐体２とハウジング７とを破断した状態の側面図に相当する説明図である。前記指針４は、ハウジング７から延出する指針本体５と、ハウジング７内に収容された円柱状の磁石６とが一体化された構成である。磁石６はハウジング７の内部に突設された支持軸８に外挿されており、これにより指針４は支持軸８を中心として液晶パネル３の表面上を所定の角度範囲内で回動自在となっている。
【００２７】
また、前記ハウジング７の内部には、図１（ａ）に示したようにストッパ９が設けられている。このストッパ９は、前記指針４が一方側（半時計回り方向）へ回動しようとするとき、それ以上の回動を阻止する、つまり一方側の回動限界位置を決めるものである。図１（ａ）に２点鎖線で示した位置が指針４の上記回動限界位置であり、係る位置が指針４の制御上の基準位置となる。なお、この基準位置は、例えば測定値の表示範囲が正の値の範囲であれば最小値（ゼロ）を示す位置でもよいし、表示範囲を超えた位置でも構わない。
【００２８】
一方、液晶パネル３は、図では省略するが平行する２枚のガラス基板の間に、液晶素子を挟み込むとともに透明電極を設けた公知の構造であり、筐体２内部の液晶パネル３の背面には面光源であるＬＥＤバックライトユニット１０が設けられている。さらに、ＬＥＤバックライトユニット１０の背面側には、後述する電子回路を構成する種々のデバイスが実装された回路基板１１が収容されるとともに筐体２に固定されている。
【００２９】
回路基板１１には、他のデバイスと共にステッピングモータ１２が取り付けられている。ステッピングモータ１２が有する駆動軸１３はＬＥＤバックライトユニット１０側に延出しており、駆動軸１３の端部には前記指針４を構成する磁石６と相対向する円柱状の磁石１４が取り付けられている。以下の説明においては、駆動軸１３に取り付けられた磁石１４を駆動側磁石と称し、指針４を構成する磁石６を従動側磁石と称す。
【００３０】
上記双方の磁石６，１４は永久磁石であって、各々が磁気吸引力により相互に引きつけ合っており、これにより液晶パネル３とＬＥＤバックライトユニット１０とを隔てて指針４とステッピングモータ１２の駆動軸１３とが非接触で連結状態を確保されている。したがってステッピングモータ１２の駆動に伴い駆動側磁石１４が回転すると、それに追従して従動側磁石６と指針本体５からなる指針４が回動する（振れる）こととなる。
【００３１】
なお、本実施形態においては、ステッピングモータ１２が本発明の駆動手段であるとともに、ステッピングモータ１２側の駆動側磁石１４が本発明の可動子であり、指針４側の従動側磁石６が本発明の連結可動子である。
【００３２】
図２は、上述した表示装置１の電気的構成の概略を示すブロック図である。表示装置１は、主として前述した液晶パネル３、ＬＥＤバックライトユニット１０、ステッピングモータ１２と、信号入力部２１、ＣＰＵ２２、グラフィックＬＳＩ２３、バックライト用駆動回路２４、ステッピングモータ駆動回路２５の各部から構成される。
【００３３】
信号入力部２１は、外部からの制御信号や検出信号が入力する部分であり、制御信号は前述した液晶パネル３に表示する目盛１００の種類や、目盛１００以外の画像の表示等を制御するための信号であり、検出信号は、測定対象から所定の変量を検出するセンサ等からの出力信号である。より具体的には、例えば表示装置１が車両用の速度計として使用される場合においては、前記制御信号は車両が有するメインコントロールユニットから送られる信号であり、前記検出信号は車速センサから出力される車速信号（パルス信号）である。
【００３４】
信号入力部２１に入力した前記制御信号はそのままＣＰＵ２２へそのまま送られ、また、前記検出信号は信号入力部２１において測定値（検出値）を示す所定のディジタル信号に変換されてＣＰＵ２２へ送られる。
【００３５】
ＣＰＵ２２は本発明の制御手段、及び表示処理手段であって、図示しないが所定のプログラムが記憶されたＲＯＭや、ＲＡＭを含むマイクロコンピュータであり、グラフィックＬＳＩ２３、バックライト用駆動回路２４、ステッピングモータ駆動回路２５の動作を制御する。
【００３６】
グラフィックＬＳＩ２３は、予め用意されている前記目盛１００等の画像データを記憶するメモリを含み、ＣＰＵ２２の命令に従い画像データに基づく画像の表示用信号を生成して液晶パネル３を駆動し、液晶パネル３に測定値に応じた種類の目盛の画像や、目盛以外の画像を表示させる。なお、図１（ａ）に示した目盛１００は便宜的なものであり、実際の目盛は、例えば測定値が車速であれば「〜ｋｍ／ｈ」という単位の目盛値を表示するものであり、また測定値が油温であれば「〜℃」という単位の目盛値を表示するものである。また、液晶パネル３における目盛１００の表示領域は、指針４の回動領域（変位領域）に対応する領域であれば任意の領域でよく、図１（ａ）に示したように指針４（先端側）が回動するときの軌跡上の領域でなくとも構わない。
【００３７】
バックライト用駆動回路２４は、ＬＥＤバックライトユニット１０を発光駆動するための駆動電流を生成する回路であり、ステッピングモータ駆動回路２５は、ＣＰＵ２２の命令に従い前記ステッピングモータ１２を駆動する駆動パルスを生成する回路である。
【００３８】
そして、前記ＣＰＵ２２は、前記信号入力部２１から送られた制御信号に従い、バックライト用駆動回路２４の動作を制御して、ＬＥＤバックライトユニット１０を点灯、又は消灯させるとともに、前記グラフィックＬＳＩ２３によって前記液晶パネル３に目盛１００等の画像を表示させる。
【００３９】
また、ＣＰＵ２２は、図外の電源回路から電力供給が開始された直後等の動作開始当初にステッピングモータ１２を駆動し、前記指針４をいったん前述した制御上の基準位置へ回動させる初期化処理を行う。その後は、その位置を基準として、前記信号入力部２１から送られる前記検出信号（変換後のディジタル信号）により示される測定値に応じた前記指針４の回転方向及び回転量を逐次演算し、演算結果に応じた駆動信号をステッピングモータ駆動回路２５に生成させてステッピングモータ１２を駆動する。つまり前記駆動側磁石１４を、所定方向へ所定の角度量だけ逐次回転させ、指針４の回動位置を、測定値に対応する所定の目盛位置を指示する位置に制御する。これにより速度等の測定値が指針４によって表示される。
【００４０】
以上説明したように前記表示装置１においては、指針４に従動側磁石６を設けるとともに、ステッピングモータ１２の駆動軸１３に駆動側磁石１４を設け、双方間における磁気吸引力によって、液晶パネル３及びＬＥＤバックライトユニット１０を隔てて指針４と駆動軸１３とを非接触状態で連結し、液晶パネル３の背面側に、指針４とは機械的に分離されたステッピングモータ１２によって液晶パネル３の表面側の指針４を駆動するようにした。
【００４１】
係ることから、例えば指針４の駆動部を液晶パネル３に設ける場合と比べると、液晶パネル３の表面、つまり表示画面内を横断する配線がないことから、液晶パネル３に表示させる目盛等の画像の選択幅が広い。特に液晶パネル３に比較的広い表示面積を必要とする画像情報（地図等）を表示させたい場合には有利である。また、液晶パネル３に穴を空ける必要がないため、液晶パネル３には汎用のものをそのまま使用することができる。したがって、液晶パネル３を文字盤として使用し、指針４によって測定値等を表示する構成であっても、使い勝手や外観品質を確保しながら、それを低コストで実施することができる。
【００４２】
ここで、本実施形態では、指針４とステッピングモータ１２の駆動軸１３との双方に永久磁石（従動側磁石６および駆動側磁石１４）を設けた構成としたが、いずれか一方の磁石を金属等の磁性体からなる部材に変更しても構わない。その場合は、例えば指針４側の従動側磁石６を金属等の部材とするとともに、ステッピングモータ１２側の駆動側磁石１４を電磁石としてもよい。
【００４３】
また、本実施形態では、前述したように動作開始当初に指針４をいったん制御上の基準位置へ回動させる初期化処理を行い、その位置を基準として指針４の回転方向及び回転量を演算することによって、測定値（指示値）に対応する位置へ指針４を制御するようにしたが、これとは別に、例えば以下の手法によって指針４の位置を制御（補償）するようにしてもよい。
【００４４】
すなわち、指針４の先端部またはその近傍に、磁石や磁力に引き付けられる鉄等の磁性体を取り付けておく一方、液晶パネル３の裏面側には、上記磁性体に反応する磁石で構成された非接触式の位置検出スイッチを予め決めた特定位置（表示する指示値が車速であれば１００ｋｍ／ｈを指し示す位置等）に設けておく。そして、動作開始当初には、上記位置検出スイッチによって指針４（先端）が上記の特定位置に達したことが検出できるまで指針４を一方向に回動させ、上記特定位置を基準位置として指針４の回転方向及び回転量を演算することによって、指針４の位置を制御（補償）するようにしてもよい。
【００４５】
さらには、上記特定位置を複数設定しておき、逐次変化する測定値に応じて指針４を回動させている間には、指針４（先端部）がいずれかの特定位置に達する毎に、その位置を基準位置として、それ以後の指針４の位置を制御（補償）するようにしてもよい。
【００４６】
（実施形態２）
次に、本発明の第２の実施形態について説明する。図３は、本実施形態の表示装置３１を示した図１（ｂ）に対応する説明図である。なお、以下の説明においては第１の実施形態と同様の部分には同一の符号を付すことにより説明を省略する。これに関しては後述する他の実施形態の説明についても同様である。
【００４７】
図３に示したように本実施形態の表示装置３１は、前述した指針４側の従動側磁石６と液晶パネル３の表面との間に、双方間に働く摩擦力を低減する摩擦低減部材３２が介装され、同様にステッピングモータ１２側の駆動側磁石１４とＬＥＤバックライトユニット１０との間にも上記と同様の摩擦低減部材３２が介装された構成である。また、摩擦低減部材３２は、摩擦係数が低く表面が滑る特性を有する素材、例えばポリエステル・ビニール・ポリエチレンからなるフィルムが二枚重ねられたものである。なお、表示装置３１の電気的な構成については、第１の実施形態で図２に示したものと同一である。
【００４８】
かかる構成によれば、指針４側の従動側磁石６が、ステッピングモータ１２側の駆動側磁石１４に吸引された状態で駆動側磁石１４と共に回動する際に液晶パネル３の表面との間に生ずる摩擦を低減させることができるため、指針４を滑らかに動作させることができる。
【００４９】
なお、本実施形態では、従動側磁石６と液晶パネル３の表面との間に、別部材である摩擦低減部材３２を介装することによって、指針４を滑らかに動作させる構成としたが、これに限らず、例えば従動側磁石６における液晶パネル３と接する当接面（液晶パネル３の表面でもよい）に、摩擦低減用の素材を塗布したりコーティングしたりすることにより、従動側磁石６と液晶パネル３の表面との間に働く摩擦力を低減するようにしてもよい。その場合には、上記当接面に形成される塗膜やコーティング膜が本発明の摩擦低減手段となる。
【００５０】
また、これとは別に、従動側磁石６を前記ハウジング７内にミニチュアベアリングを介して回転自在に取り付けるとともに、従動側磁石６と液晶パネル３の表面との間にごく僅かな隙間を確保し、係る隙間（空気層）を本発明の摩擦低減手段としても構わない。
【００５１】
また、ステッピングモータ１２側の駆動側磁石１４とＬＥＤバックライトユニット１０との間の摩擦低減部材３２については、ステッピングモータ１２が、筐体２に固定された回路基板１１に取り付けられていることから、本来的にはそれを廃止することができる。但し、摩擦低減部材３２を設けておけば、例えば使用期間の経過に伴い回路基板１１に反りが生じ、それに伴い駆動側磁石１４がＬＥＤバックライトユニット１０に押圧されるような事態が生じた場合であっても、摩擦低減部材３２によって駆動側磁石１４の良好な動作を維持することができる。
【００５２】
（実施形態３）
次に、本発明の第３の実施形態について説明する。図４は、本実施形態の表示装置４１を示した図１（ｂ）に対応する説明図である。
【００５３】
図４に示したように本実施形態の表示装置４１は、前述したＬＥＤバックライトユニット１０に、指針４側の従動側磁石６と対応する箇所に、ステッピングモータ１２側の駆動側磁石１４を収容する開口部１０ａが設けられ、従動側磁石６と駆動側磁石１４とが液晶パネル３のみを隔てて対応する構成である。なお、表示装置４１の電気的な構成については、第１の実施形態で図２に示したものと同一である。
【００５４】
かかる構成によれば、液晶パネル３の裏面側にＬＥＤバックライトユニット１０が存在していても、従動側磁石６と駆動側磁石１４とに確保する磁力を強くせずとも、双方間間の距離を縮めることにより、双方間における磁気吸引力を高めることができる。また、ＬＥＤバックライトユニット１０の穴開け加工は、比較的安価に行うことが可能であるため、それを低コストで行うことができる。
【００５５】
（実施形態４）
次に、本発明の第４の実施形態について説明する。図５は、本実施形態の表示装置５１を示した図１（ｂ）に対応する説明図である。
【００５６】
本実施形態の表示装置５１は、前述した指針４を構成する指針本体５がアクリル樹脂等の透明性を有する素材で形成される一方、図５に示したように指針本体５の根本部分には、指針本体５内に向けて光りを発することにより、指針本体５を全体的に光らせて指針４の視認性を向上させるための、本発明の発光素子である指針用ＬＥＤ５２が設けられている。
【００５７】
また、ステッピングモータ１２側の駆動側磁石１４には一次側電磁誘導コイル５３が外挿され、これと対応して指針４側の従動側磁石６には二次側電磁誘導コイル５４が外挿されており、一次側電磁誘導コイル５３に供給した電力を、電磁誘導を利用することにより二次側電磁誘導コイル５４に無接点伝送する構成である。つまり本実施形態においては、一次側電磁誘導コイル５３と二次側電磁誘導コイル５４とによって本発明の電力伝送手段が実現されている。
【００５８】
図６（ａ）は、駆動側磁石１４及び従動側磁石６と、上記一次側電磁誘導コイル５３及び二次側電磁誘導コイル５４との関係を示す断面図である。図示したように、双方のコイル５３，５４は、駆動側磁石１４、または従動側磁石６に外挿されたボビン５５に線状導体５６を巻回することにより形成されている。また、図５では省略したが前記ハウジング７内には、二次側電磁誘導コイル５４に電磁誘導により生じる交流電流を直流電流に整流して指針用ＬＥＤ５２に供給する整流回路５８（図７参照）が設けられている。
【００５９】
図７は、上記表示装置５１の電気的構成の概略を示すブロック図である。本実施形態の表示装置５１は、主として図２において既説した各部と、前記指針用ＬＥＤ５２、前記一次側及び二次側電磁誘導コイル５３，５４、一次側電磁誘導コイル５３に所定のパルス電流を供給するための電磁誘導コイル駆動回路５７、前記整流回路５８によって構成されている。
【００６０】
そして、本実施形態の表示装置５１においては、前記ＣＰＵ２２が既説した制御に加え、前記信号入力部２１から送られた制御信号に従い、必要に応じて電磁誘導コイル駆動回路５７に所定のパルス電流を一次側電磁誘導コイル５３に供給させ、二次側電磁誘導コイル５４に電力を無接点伝送することにより指針用ＬＥＤ５２を点灯させる。また、上記パルス電流の値を制御することにより、指針用ＬＥＤ５２の明るさ、すなわち指針本体５の明るさを、要求される所定の明るさに制御する。例えば周囲が明るいときには明るく、周囲が暗いときには暗くする。
【００６１】
以上のように本実施形態においては、指針本体５を光らせるために液晶パネル３の表面側に設けられた指針用ＬＥＤ５２の発光に必要な電力を、一次側電磁誘導コイル５３と二次側電磁誘導コイル５４との間に生ずる電磁誘導を利用することにより、液晶パネル３の背面側から表面側に無接点伝送するようにした。
【００６２】
係ることから、指針本体５を光らせて指針４の視認性を向上させる構成であっても、液晶パネル３の表面、つまり表示画面内を横断する電力供給用の配線を設ける必要がなく、液晶パネル３に表示させる目盛等の画像の選択幅が広い。また、上記配線を行うために液晶パネル３に穴を空ける必要がないため、液晶パネル３には汎用のものをそのまま使用することができる。したがって、指針本体５を光らせて指針４の視認性を向上させる構成であっても、使い勝手や外観品質を確保しながら、それを低コストで実施することができる。
【００６３】
なお、本実施形態においては、本発明の発光素子として指針用ＬＥＤ５２を用い、指針本体５を内部から全体的に光らせる構成としたが、本発明の発光素子は指針４を照明することができれば良く、例えば指針用ＬＥＤ５２の発する光を指針本体５の表面に照射する構成としてもよい。また、指針用ＬＥＤ５２は、前述した電磁誘導により無接点伝送された電力で発光するものであれば、任意の発光素子に変更することができる。
【００６４】
また、前述した一次側電磁誘導コイル５３及び二次側電磁誘導コイル５４には、図６（ａ）に示した構造のものに限らず、例えば図６（ｂ）に示したように、駆動側磁石１４または従動側磁石６の周囲に、各々の磁石１４，６を囲むように配置されるとともに、各々が軸部材５９に線状導体５６を巻回した複数のコイル６０からなる構造のものを使用することができる。
【００６５】
但し、その場合には、一次側電磁誘導コイル５３及び二次側電磁誘導コイル５４を、駆動側磁石１４及び従動側磁石６が回転しても、双方の位置関係が変化しないように、液晶パネル３の表面側と背面側（ＬＥＤバックライトユニット１０の背面側）に位置固定する必要がある。なお、本実施形態の一次側電磁誘導コイル５３及び二次側電磁誘導コイル５４については、上記の位置固定を行ってもよいし、行わなくともよい。
【００６６】
（実施形態５）
次に、本発明の第５の実施形態について説明する。図９は、本実施形態の表示装置６１を示した図１（ｂ）に対応する説明図である。
【００６７】
図９に示したように本実施形態の表示装置６１は、第４の実施形態で説明した構成を基本として、前述した駆動側磁石１４及び従動側磁石６をドーナツ形状とし、その中心部に一次側電磁誘導コイル５３及び二次側電磁誘導コイル５４を設けた構成である。図１０は、上記駆動側磁石１４及び従動側磁石６と、上記一次側電磁誘導コイル５３及び二次側電磁誘導コイル５４との関係を示す断面図であり、本実施形態においては、双方のコイル５３，５４が軸部材５９に線状導体５６を巻回した構造である。
【００６８】
かかる構成からなる表示装置６１においても、第４の実施形態で説明した表示装置５１と同様に、指針本体５を光らせて指針４の視認性を向上させる構成であっても、使い勝手や外観品質を確保しながら、それを低コストで実施することができる。
【００６９】
（他の実施形態）
ここで、以上説明した第１〜第５の実施形態においては、指針４の回動中心に従動側磁石６（又は磁性体）を設ける構成について説明したが、これに限らず、従動側磁石６等は指針４の回動中心以外の任意の部分、例えば指針４の先端部に設けるようにしても構わない。その場合には、駆動側磁石１４（又は磁性体）を、従動側磁石６等の移動範囲と同様の移動範囲で駆動させればよい。さらに、指針４それ自体を永久磁石（又は磁性体）によって構成する、つまり本発明における連結可動子を有していない構成としてもよい。
【００７０】
また、逐次変化する測定値等の変量を表示する指針４を、その基端部を回動中心として回動させる構成について説明したが、これに限らず、本発明の表示装置は、指針が測定値等に対応する位置に変位するものであればよく、例えば指針が直線移動する構成であっても構わない。
【００７１】
また、液晶パネル３に表示する目盛１００は車速や油温等の任意の測定値に応じた種類の画像であればよく、前述した表示装置１，３１，４１，５１，６１の使用中には、例えば指針４の位置に応じて表示色や、目盛線の中心間隔（目幅）や、１目盛に対応する測定量の大きさ（目量）を変化させるようにしてもよい。
【００７２】
さらには、液晶パネル３に表示する目盛１００を、前述した検出信号に応じて、表示可能な測定値の範囲が異なる目盛に変化させるようにしてもよい。例えば測定値が車速であれば、検出された車速が「０ｋｍ／ｈ」から「７０ｋｍ／ｈ」であるときには、表示範囲が「０〜８０ｋｍ／ｈ」である目盛を表示させる一方、検出された車速が「８０ｋｍ／ｈ」以上であるときには、表示範囲が「７０〜１８０ｋｍ／ｈ」である目盛を表示させるようにしてもよい。
【００７３】
つまり表示形態が異なる目盛を表示させるようにしても構わない。その場合には、前述したグラフィックＬＳＩ２３が有するメモリに、異なる表示形態の目盛の画像データを複数記憶させておき、ＣＰＵ２２を本発明の表示制御手段として機能させ、ＣＰＵ２２に前述した検出信号に応じて予め決められている画像データに基づく目盛を液晶パネル３に表示させればよい。
【符号の説明】
【００７４】
１    表示装置
２    筐体
３    液晶パネル
４    指針
５    指針本体
６    磁石（従動側磁石）
７    ハウジング
８    支持軸
９    ストッパ
１０    ＬＥＤバックライトユニット
１２    ステッピングモータ
１３    駆動軸
１４    磁石（駆動側磁石）
２２    ＣＰＵ
３１    表示装置
３２    摩擦低減部材
４１    表示装置
５１    表示装置
５２    指針用ＬＥＤ
５３    一次側電磁誘導コイル
５４    二次側電磁誘導コイル
６１    表示装置
１００    目盛
【図１】
2010243415.tif 000003
【図２】
2010243415.tif 000004
【図３】
2010243415.tif 000005
【図４】
2010243415.tif 000006
【図５】
2010243415.tif 000007
【図６】
2010243415.tif 000008
【図７】
2010243415.tif 000009
【図８】
2010243415.tif 000010
【図９】
2010243415.tif 000011